(57)【特許請求の範囲】
【請求項１】
減圧開一斉開放弁の二次側にホースを接続し、該ホースの先端にノズルを設けた消火栓装置において；
前記ノズルに設けられた、スイッチを有する手元開弁操作部と；
前記手元開弁操作部と前記開放弁の開弁機構の制御室とを連結する連通管であって、前記スイッチをオンにすると開放し、前記制御室内の消火用水を排出させて減圧させる連通管と；
を備えていることを特徴とする手元開弁操作型ノズルを有する消火栓装置。
【請求項２】
前記開放弁は、弁体と、該弁体の背面に設けられた開弁機構の制御室である、シリンダ部とピストン部を備えたシリンダ室と、該シリンダ室に連通する開弁用水路と、該弁体を閉弁方向に当接押圧する付勢手段と、を備えており、
前記シリンダ部には、前記連通管の流量より少ない流量のオリフイスが設けられていることを特徴とする請求項１記載の消火栓装置。
【発明の詳細な説明】
【０００１】
【発明の属する技術分野】
この発明は、一斉開放弁等の減圧開放弁、又は、加圧開放弁をノズル側で開弁する消火栓装置に関するものである。
【０００２】
【従来の技術】
トンネル内には、消火栓ボックスに収納された、多数の消火栓装置が設けられている。この消火栓装置は、従来、電動消火栓弁を備えているものがあり、この電動消火栓弁は、ホース内部に設けた電路を介してノズルの手元開弁操作スイッチに接続されている。トンネル内で火災が発生したときには、消火栓ボックスの前傾扉を手前に引いて開扉し、ノズルを握り、消火水の入っていないホースを引きずりながら火源に向う。そして、消火位置に到達後、手元開弁操作スイッチをオンにすると、電動消火栓弁が開き、消火栓弁の一次側の消火水が二次側に流入し、ホース内を通ってノズルから放水される。
【０００３】
【発明が解決しようとする課題】
従来例では、電動消火栓弁を用いているので、電源が必要である。
ところが、この電源を用いると、電路が破断したり、電圧が低下したりした場合に、手元開弁操作スイッチをオンしても電動消火栓弁が開かなくなるので、消火設備としては致命的な欠陥となる。
そこで、消火栓装置、特にトンネル内の消火栓装置においては、低電圧化が求められるとともに、電源不要の開弁手段が求められている。
【０００４】
【課題を解決するための手段】
本発明は、上記事情に鑑み、電源を用いないで開放弁の開弁を行えるようにすることを目的とする。
【０００５】
この発明は、減圧開一斉開放弁の二次側にホースを接続し、該ホースの先端にノズルを設けた消火栓装置において；前記ノズルに設けられた、スイッチを有する手元開弁操作部と；前記手元開弁操作部と前記開放弁の開弁機構の制御室とを連結する連通管であって、前記スイッチをオンにすると開放し、前記制御室内の消火用水を排出させて減圧させる連通管と；を備えていることを特徴とする。
【０００６】
この発明の前記開放弁は、弁体と、該弁体の背面に設けられた開弁機構の制御室である、シリンダ部とピストン部を備えたシリンダ室と、該シリンダ室に連通する開弁用水路と、該弁体を閉弁方向に当接押圧する付勢手段と、を備えており、前記シリンダ部には、前記連通管の流量より少ない流量のオリフイスが設けられていることを特徴とする。
【０００７】
【発明の実施の形態】
開放弁の開弁機構の制御室に開弁用水路を設け、該開弁用水路をノズルの手元開弁操作部まで伸ばすと共に、手元開弁操作部に開弁スイッチを設ける。
該開弁スイッチをオンにすると前記開弁用水路が開放されて一次側の消火水が排出されて減圧し、該減圧開放弁が開放される。
【０００８】
また、前記開弁用水路に開弁用バルブ〔起動弁）を設け、該バルブをワイヤを介して手元開弁操作部の開弁レバーに連結しても良い。
この場合には該開弁レバーを引くと、開弁用バルブが開き、開弁用水路が開放され、一次側の消火水が排出されて減圧となり、該開放弁が開く。
【０００９】
【実施例】
この発明の第１実施例を図１〜図３により説明する。
トンネル内に配設されている消火栓ボックス１内には、消火栓装置２が設けられている。この消火栓装置２は、消火栓弁３に調圧弁４を介して連続する減圧開一斉開放弁５と、該開放弁５とホース６を介して連続するノズル７と、を備えている。
【００１０】
減圧開一斉開放弁５は、弁体１０と、該弁体１０の背面に設けられた開弁機構の制御室である、シリンダ室１２と、該シリンダ室１２に連通する開弁用水路１４と、該弁体１０を閉弁方向に当接押圧する付勢手段１６と、を備えている。
【００１１】
弁体１０は、弁座１８に接離し、一次側１９と二次側２０とを仕切る。シリンダ室１２はシリンダ部１２ａと、オリフィス１２ｂのついたピストン部１２ｃとからなり、シリンダ部１２ａには、開弁用水路１４が形成されている。
この開弁用水路１４の入口１４ａは、シリンダ室１２の上部に開口し、その出口１４ｂは二次側２０のフランジ部20bに開口している。
【００１２】
開弁用水路１４の出口１４ｂは、連通管、即ち、小径ホース２５に接続されている。この小径ホース２５はホース６内をノズルに向かって伸び、手元開弁操作部７ａの押しボタン式の開弁スイッチ２７に接続されている。
【００１３】
付勢手段１６はばね室３０に挿着され、下端で弁体１０の中央部で当接する弁体押さえ３１と、該ばね室３０の頭部を封鎖するオリフィス付きオイル室３３と、を備えている。
【００１４】
弁体押さえ３１には、ピストン３１ａが設けられ、ばね室３０とオイル室３３の間には、両室３０，３３を仕切り、弁押さえ３１が貫通摺動するオリフィスの付いた仕切り３２が設けられ、ピストン３１ａと仕切り３２間にはばね３５が設けられ、かつ、オイルが充填されている。この仕切り３２には、ばね室３０とオイル室３３を結ぶオリフィスが設けられている。
【００１５】
なお、図において、３４は手動式消火器を収納する消火器ボックス、３６は消火器ボックス３４の前傾扉、３７は開閉レバー、をそれぞれ示す。
【００１６】
次に、本実施例の作動について説明する。
火災の際には、消火栓ボックス１の前傾扉３６を手前に引いて開扉し、開閉レバー３７を引いて消火栓弁３を開く。
この時、開閉レバー３７の開操作に連動して図示しない給水ポンプが稼働し、一次側１９に加圧された消火水Ｗが送られてくる。当初、消火水Ｗの圧力は、弁体１０の下面周辺にかかるので、弁体１０は開弁方向に力を受けるが、付勢手段１６のばね３５の下方への力により閉弁を保つ。そのうち、この消火水Ｗは、ピストン部１２ｃのオリフィス１２からシリンダ室１２に入り込むので、弁体１０を下方に押圧して弁閉止を維持する。それと同時に、シリンダ室１２内の水圧により弁体押さえ３１のピストン３１ａがばね３５力に抗して上方に押し上げられる。ばね室３０内のオイルは仕切り３２のオリフィスを通過してオイル室３３に移動しなければならないので、ピストン３１ａの動きは緩慢になる。
次に、ノズル７のハンドル７ｂを握り、消火栓ボックス内に内巻きに収められたホース６を引っ張りながら火源に向かう。この時前記開放弁５は閉じている。そのため、ホース６内には消火水が供給されていないので、空の状態である。従って、ホース６の移動は容易である。
【００１７】
火源の消火位置に到達後、手元開弁操作部７ａの押しボタン式の開弁スイッチ２７を押すと、小径ホース２５の出口が開く。
そうすると、小径ホース２５内の消火水Ｗが該出口から排出されるとともに、シリンダ室１２内の消火水Ｗが開弁用水路１４を通って小径ホース２５に流れ込むが、その流量はオリフィス１２ｂからのシリンダ室１２への流量よりも大きい。そのため、シリンダ室１２内の圧力が低下し、このシリンダ室１２の圧力が弁体１０にかかる閉弁方向の力より、一次側の圧力が弁体１０の下面周辺にかかる開弁方向への力が大きくなる。
一方、シリンダ室１２内の圧力の低下により、ピストン３１ａを押し上げる力よりもばね３５の力が勝るようになり、弁体押さえ３１は下方に移動しようとするが、仕切り３２のオリフィスのオイルの通過で弁体押さえ３１は動きが緩慢にされており、下に下がり切っていないため、その閉弁方向の力がかかっていない。すると、弁体１０が上昇して弁座１８から離れるので、一次側１９の消火水Ｗは二次側２０に流れ、ノズル７から放出される。
このように、開弁スイッチ２７を押すだけで、簡単に一斉開放弁５を開くことができる。
なお、開閉レバー３７を戻して消火栓弁３を閉じると、一次側１９の圧力がシリンダ室１２と同様に大気圧となり、シリンダ室の圧がピストン３１ａを押圧しなくなるので、ばね３５の力により弁体押さえ３１が下がってきて弁体１０を押し下げ、一斉開放弁５は閉じられる。
【００１８】
この発明の第２実施例を図４により説明する。
この実施例と第１実施例（図１〜図３）との相違点は小径ホース２５をホース６の内周面６ａに固定した小径ホース３８、としたことである。
なお、この小径ホース３５を設ける代わりに、ホース６の肉厚部に開弁用水路１４と手元開弁操作部７ａとを結ぶ通水孔を形成してもよい。
【００１９】
この発明の第３実施例を図５により説明する。
この実施例と第１実施例（図１〜図３）との相違点は、開弁用水路１４に設けられた起動用バルブ４０と、手元開弁操作部７ａに設けられ、該バルブ４０を開閉する開閉レバーと、該バルブ４０と開閉レバーとを連結するワイヤ４２と、を備えていることである。
【００２０】
この実施例では、開閉レバーを引くと、ホース６内を通っているワイヤ４２が該起動用バルブ４０を開き、シリンダ室１２の消火水Ｗは開弁用水路１４を通ってホース６内に排出される。
そうすると、該シリンダ室１２内の圧力が低下するので、弁体１０が上昇し開弁する。
【００２１】
この発明の第４実施例を図７により説明する。
この実施例と第３実施例（図５、図６）との相違点は、ワイヤ５２がホース６の外周面６ｂに設けられている。
なお、上記実施例は、減圧開一斉開放弁の例であったが、加圧開一斉開放弁を用いても良い。
この場合は、例えば、常時はばねで閉止している加圧開放弁の弁体と連結するピストンの、加圧されて開弁するシリンダ室に、パイロット弁を介して一次側配管と連通する加圧流路を設ける。パイロット弁の制御室には、先端に開弁スイッチを備えた連通管が接続され、パイロット弁の入口と出口には、それぞれ一次側配管及びシリンダ室に連通する加圧流路が接続されている。
パイロット弁の入口と出口とは、制御室の減圧により連通する構造になっている。放水したいときには、ノズルに設けられた開弁スイッチを開くことによってこのパイロット弁の制御室の水が抜かれ、即ち、減圧されることによってこの加圧流路が開かれ、シリンダ室に一次側の水圧が通るので、一斉開放弁が開弁される。
【００２２】
【発明の効果】
この発明は、以上のように構成したので、電源を用いることなく、簡単に開放弁を開けることができる。
そのため、従来例の如き問題の発生を防止することができる。
【図面の簡単な説明】
【図１】本発明の第１実施例を示す斜視図である。
【図２】減圧開一斉開放弁の拡大縦断面図である。
【図３】図２のII−II線縦断面図である。
【図４】本発明の第２実施例を示す縦断面図で、図３に相当する図である。
【図５】本発明の第３実施例を示す縦断面図である。
【図６】図５のＶ−Ｖ線縦断面図である。
【図７】本発明の第４実施例を示す縦断面図で、図６に相当する図である。
【符号の説明】
１      消火栓ボックス
２      消火栓装置
５      減圧開一斉開放弁
６      ホース
７      ノズル
１４    開弁用水路
２５    小径ホース
２７    開弁スイッチ
【図１】
0003975392.tif 000002
【図２】
0003975392.tif 000003
【図３】
0003975392.tif 000004
【図４】
0003975392.tif 000005
【図５】
0003975392.tif 000006
【図６】
0003975392.tif 000007
【図７】
0003975392.tif 000008